(57)【要約】【課題】一人の遊技者に複数枚のカードが発行された場合であっても、遊技者および遊技店にとって不利益が生じないようにするとともに、遊技者に対してサービスの向上を図ることができること。【解決手段】貨幣若しくは有価価値と関連付けられた記録媒体を受付けて遊技媒体の貸出処理を行う各台対応装置が、記録媒体の返却指示を受付けた際に、記録媒体に有価価値と計数値とを関連付けて返却し、第一の記録媒体が返却されてから第二の記録媒体が返却するまでの間に所定の条件を満たしていた場合に、第一の記録媒体と第二の記録媒体とに関連があると判定し、有価価値、計数値および判定結果を記録媒体の媒体識別子に関連付けて記録媒体情報として管理装置が記憶するように構成する。【選択図】図２
2010268994.tif 000002
【特許請求の範囲】
【請求項１】
遊技台ごとに対応して設けられて遊技媒体の計数機能を有する各台対応装置と前記各台対応装置と接続された管理装置を含み、前記各台対応装置が計数した前記遊技媒体の計数値を管理する各台計数システムにおいて、
貨幣若しくは有価価値と関連付けられた記録媒体を受付けて前記遊技媒体の貸出処理を行う前記各台対応装置は、
前記記録媒体の返却指示を受付けた際に、前記記録媒体に前記有価価値と前記計数値とを関連付けて返却する記録媒体返却手段
を備え、
前記各台対応装置または前記管理装置は、
第一の記録媒体が前記記録媒体返却手段によって返却されてから第二の記録媒体が前記記録媒体返却手段によって返却するまでの間に所定の条件を満たしていた場合に、前記第一の記録媒体と前記第二の記録媒体とに関連があると判定する記録媒体関連判定手段
を備え、
前記管理装置は、
前記有価価値、前記計数値および前記記録媒体関連判定手段による判定結果を前記記録媒体の媒体識別子に関連付けて記録媒体情報として記憶する記録媒体情報記憶手段
を備えたことを特徴とする各台計数システム。
【請求項２】
前記記録媒体関連判定手段は、
前記第一の記録媒体が前記記録媒体返却手段によって返却されてから前記第二の記録媒体が前記記録媒体返却手段によって返却されるまでの間に貨幣または前記第一の記録媒体ではない他の前記記録媒体が挿入されなかった場合に、前記第一の記録媒体と前記第二の記録媒体とに関連があると判定することを特徴とする請求項１に記載の各台計数システム。
【請求項３】
前記記録媒体関連判定手段は、
前記第一の記録媒体が前記記録媒体返却手段によって返却されてから所定の時間内に前記遊技媒体の計数が行われた場合に、前記第一の記録媒体と前記第二の記録媒体とに関連があると判定することを特徴とする請求項１または２に記載の各台計数システム。
【請求項４】
前記各台対応装置は、
併設される前記遊技台が特賞状態である間、前記遊技台から特賞信号を取得する特賞信号取得手段
をさらに備え、
前記記録媒体関連判定手段は、
前記第一の記録媒体が前記記録媒体返却手段によって返却されてから所定の時間内に前記特賞信号取得手段によって前記特賞信号が取得された場合、または、前記特賞信号が取得された状態で前記第一の記録媒体が前記記録媒体返却手段によって返却された場合に、前記第一の記録媒体と前記第二の記録媒体とに関連があると判定することを特徴とする請求項１〜３のいずれか一つに記載の各台計数システム。
【請求項５】
遊技店に前記管理装置と通信可能に設けられ前記記録媒体情報を照会する照会装置
をさらに備え、
前記照会装置は、
前記記録媒体の前記媒体識別子を読取る媒体識別子読取手段と、
前記媒体識別子に基づいて前記記録媒体情報に記憶された前記判定結果を取得する判定結果取得手段と、
前記判定結果取得手段によって取得された前記判定結果が他の記録媒体と関連がある場合に、前記記録媒体と他の記録媒体とが関連がある旨を報知する記録媒体関連報知手段と
を備えたことを特徴とする請求項１〜４のいずれか一つに記載の各台計数システム。
【請求項６】
遊技台ごとに対応して設けられて遊技媒体の計数機能を有する各台対応装置と前記各台対応装置と接続された管理装置を含み、前記各台対応装置が計数した前記遊技媒体の計数値を管理する各台計数システムにおいて、
貨幣若しくは有価価値と関連付けられた記録媒体を受付けて前記遊技媒体の貸出処理を行う前記各台対応装置が、
前記記録媒体の返却指示を受付けた際に、前記記録媒体に前記有価価値と前記計数値とを関連付けて返却する記録媒体返却工程
を含み、
前記各台対応装置または前記管理装置が、
第一の記録媒体が前記記録媒体返却工程によって返却されてから第二の記録媒体が前記記録媒体返却工程によって返却するまでの間に所定の条件を満たしていた場合に、前記第一の記録媒体と前記第二の記録媒体とに関連があると判定する記録媒体関連判定工程
を含み、
前記管理装置が、
前記有価価値、前記計数値および前記記録媒体関連判定工程による判定結果を前記記録媒体の媒体識別子に関連付けて記録媒体情報として記憶する記録媒体情報記憶工程
を含んだことを特徴とする各台計数方法。
【発明の詳細な説明】
【技術分野】
【０００１】
この発明は、遊技台ごとに対応して設けられて遊技媒体の計数機能を有する各台対応装置と前記各台対応装置と接続された管理装置を含み、前記各台対応装置が計数した前記遊技媒体の計数値を管理する各台計数システムおよび各台計数方法に関し、特に、一人の遊技者に複数枚のカードが発行された場合であっても、遊技者および遊技店にとって不利益が生じないようにするとともに、遊技者に対してサービスの向上を図ることができる各台計数システムおよび各台計数方法に関するものである。
【背景技術】
【０００２】
従来から、パチンコ店などの遊技店に設置されるパチンコ機やパチスロ機といった遊技台と並設され、遊技台において遊技者が獲得した遊技媒体（以下、「持玉」と記載する）を計数する各台対応装置が知られている（たとえば、特許文献１参照）。
【０００３】
また、遊技者により挿入された貨幣の残額や計数した持玉の数量をカードに関連付けるカードシステムも知られてきた。各台対応装置では、かかるカードを用いて、パチンコ玉やメダルといった遊技媒体を払出すことができる。
【先行技術文献】
【特許文献】
【０００４】
【特許文献１】特開２００７−２２９１１１号公報
【発明の概要】
【発明が解決しようとする課題】
【０００５】
しかしながら、上記した従来技術では、遊技者により挿入された貨幣の残額（プリペイド価値）と計数された持玉数をカードに関連付けるため、一人の遊技者が複数枚のカードを所持する場合も発生し、利便性が低下する恐れがあるという問題があった。
【０００６】
具体的には、遊技者が貨幣の残額を用いて遊技をしていた際に、大当たり等の特賞状態になった場合、貨幣の残額による払出しをする必要がなくなる上、盗難や取り忘れを防止するために、カード返却を行い、貨幣の残額が関連付けられたカード（第一のカード）を所持する。
【０００７】
その後、遊技者は持玉による遊技を行い、遊技終了後に、再びカード返却を行い、持玉数が関連付けられたカード（第二のカード）も所持し、２枚のカードを持って、貨幣の残額の精算をしたり景品交換を行うこととなる。
【０００８】
そして、このように複数枚のカードを所持する遊技者が、一方のカードについてのみ残額の精算または景品交換を行っただけで処理を終了したものと思い込み、他方のカードを持ち帰ってしまった場合があった。この場合、残額や持玉の有効期限が過ぎてしまい、遊技者にとって不利益が生じることになる。
【０００９】
さらに、遊技店にとっても、遊技者がカードを持ち帰ったことにより、遊技店のカード補充をする必要があるため、カード補充にかかるコストが発生してしまうといった、不利益を生じることになる。
【００１０】
また、第一のカードが返却された時点で既に計数されていた持玉は第一のカードに関連付けられ、それ以降に計数された持玉は第二のカードに関連付けられることになるため、一方のカードだけを景品交換カウンタへ持ち込んだ遊技者が勘違いをして、遊技店に対して「カードの持玉数が違っている」といった苦情を言う等のトラブルも起こる可能性があるといった問題もあった。
【００１１】
これらのことから、一人の遊技者に複数枚のカードが発行された場合であっても、遊技者および遊技店にとって不利益が生じないようにするとともに、遊技者に対してサービスの向上を図ることができる各台計数システムおよび各台計数方法をいかにして実現するかが大きな課題となっている。
【００１２】
この発明は、上述した従来技術による問題点を解消するためになされたものであって、一人の遊技者に複数枚のカードが発行された場合であっても、遊技者および遊技店にとって不利益が生じないようにするとともに、遊技者に対してサービスの向上を図ることができる各台計数システムおよび各台計数方法を提供することを目的とする。
【課題を解決するための手段】
【００１３】
上述した課題を解決し、目的を達成するため、本発明は、遊技台ごとに対応して設けられて遊技媒体の計数機能を有する各台対応装置と前記各台対応装置と接続された管理装置を含み、前記各台対応装置が計数した前記遊技媒体の計数値を管理する各台計数システムにおいて、貨幣若しくは有価価値と関連付けられた記録媒体を受付けて前記遊技媒体の貸出処理を行う前記各台対応装置は、前記記録媒体の返却指示を受付けた際に、前記記録媒体に前記有価価値と前記計数値とを関連付けて返却する記録媒体返却手段を備え、前記各台対応装置または前記管理装置は、第一の記録媒体が前記記録媒体返却手段によって返却されてから第二の記録媒体が前記記録媒体返却手段によって返却するまでの間に所定の条件を満たしていた場合に、前記第一の記録媒体と前記第二の記録媒体とに関連があると判定する記録媒体関連判定手段を備え、前記管理装置は、前記有価価値、前記計数値および前記記録媒体関連判定手段による判定結果を前記記録媒体の媒体識別子に関連付けて記録媒体情報として記憶する記録媒体情報記憶手段を備えたことを特徴とする。
【００１４】
また、本発明は、上記の発明において、前記記録媒体関連判定手段は、前記第一の記録媒体が前記記録媒体返却手段によって返却されてから前記第二の記録媒体が前記記録媒体返却手段によって返却されるまでの間に貨幣または前記第一の記録媒体ではない他の前記記録媒体が挿入されなかった場合に、前記第一の記録媒体と前記第二の記録媒体とに関連があると判定することを特徴とする。
【００１５】
また、本発明は、上記の発明において、前記記録媒体関連判定手段は、前記第一の記録媒体が前記記録媒体返却手段によって返却されてから所定の時間内に前記遊技媒体の計数が行われた場合に、前記第一の記録媒体と前記第二の記録媒体とに関連があると判定することを特徴とする。
【００１６】
また、本発明は、上記の発明において、前記各台対応装置は、併設される前記遊技台が特賞状態である間、前記遊技台から特賞信号を取得する特賞信号取得手段をさらに備え、前記記録媒体関連判定手段は、前記第一の記録媒体が前記記録媒体返却手段によって返却されてから所定の時間内に前記特賞信号取得手段によって前記特賞信号が取得された場合、または、前記特賞信号が取得された状態で前記第一の記録媒体が前記記録媒体返却手段によって返却された場合に、前記第一の記録媒体と前記第二の記録媒体とに関連があると判定することを特徴とする。
【００１７】
また、本発明は、上記の発明において、遊技店に前記管理装置と通信可能に設けられ前記記録媒体情報を照会する照会装置をさらに備え、前記照会装置は、前記記録媒体の前記媒体識別子を読取る媒体識別子読取手段と、前記媒体識別子に基づいて前記記録媒体情報に記憶された前記判定結果を取得する判定結果取得手段と、前記判定結果取得手段によって取得された前記判定結果が他の記録媒体と関連がある場合に、前記記録媒体と他の記録媒体とが関連がある旨を報知する記録媒体関連報知手段とを備えたことを特徴とする。
【発明の効果】
【００１８】
本発明によれば、貨幣若しくは有価価値と関連付けられた記録媒体を受付けて遊技媒体の貸出処理を行う各台対応装置が、記録媒体の返却指示を受付けた際に、記録媒体に有価価値と計数値とを関連付けて返却し、第一の記録媒体が返却されてから第二の記録媒体が返却するまでの間に所定の条件を満たしていた場合に、各台対応装置または管理装置が第一の記録媒体と第二の記録媒体とに関連があると判定し、有価価値、計数値および判定結果を記録媒体の媒体識別子に関連付けて記録媒体情報として管理装置が記憶することとしたので、一人の遊技者に複数枚のカードが発行された場合であっても、遊技者および遊技店にとって不利益が生じないようにすることができるという効果を奏する。
【００１９】
本発明によれば、第一の記録媒体が返却されてから第二の記録媒体が返却されるまでの間に貨幣または第一の記録媒体ではない他の記録媒体が挿入されなかった場合に、第一の記録媒体と第二の記録媒体とに関連があると各台対応装置が判定することとしたので、一人の遊技者に複数枚のカードが発行された場合であっても、遊技者が従来の遊技方法を変えることなく、遊技者および遊技店にとって不利益が生じないようにすることができるという効果を奏する。
【００２０】
本発明によれば、第一の記録媒体が返却されてから所定の時間内に遊技媒体の計数が行われた場合に、第一の記録媒体と第二の記録媒体とに関連があると各台対応装置が判定することとしたので、一人の遊技者に複数枚のカードが発行された場合であっても、遊技者が従来の遊技方法を変えることなく、遊技者および遊技店にとって不利益が生じないようにすることができるという効果を奏する。
【００２１】
本発明によれば、各台対応装置が、併設される遊技台が特賞状態である間、遊技台から特賞信号を取得し、第一の記録媒体が返却されてから所定の時間内に特賞信号が取得された場合、または、特賞信号が取得された状態で第一の記録媒体が返却された場合に、第一の記録媒体と第二の記録媒体とに関連があると各台対応装置が判定することとしたので、一人の遊技者に複数枚のカードが発行された場合であっても、遊技者が従来の遊技方法を変えることなく、遊技者および遊技店にとって不利益が生じないようにすることができるという効果を奏する。
【００２２】
本発明によれば、遊技店に管理装置と通信可能に設けられ記録媒体情報を照会する照会装置が、記録媒体の媒体識別子を読取り、媒体識別子に基づいて記録媒体情報に記憶された判定結果を照会装置が取得し、判定結果が他の記録媒体と関連がある場合に、記録媒体と他の記録媒体とが関連がある旨を照会装置が報知することとしたので、一人の遊技者に複数枚のカードが発行された場合であっても、遊技者が残額の精算または景品交換を忘れてカードを持ち帰ることが大幅に減少することから、遊技者および遊技店にとって不利益が生じないようにするとともに、遊技者に対してサービスの向上を図ることができるという効果を奏する。
【図面の簡単な説明】
【００２３】
【図１】図１は、本発明にかかる各台計数システムの概要を示す図である。
【図２】図２は、本実施例にかかる各台計数システムの構成を示すブロック図である。
【図３】図３は、貸出処理装置の外観図である。
【図４】図４は、本実施例にかかる店内システムのシステム構成図である。
【図５】図５は、カード情報の一例を示す図である。
【図６】図６は、カード返却処理の流れの一例を示す図である。
【図７】図７は、関連情報の報知処理の一連の流れを示す図である。
【図８】図８は、関連情報の一例を示す図である。
【図９】図９は、関連解除タイミングを示す図である。
【図１０】図１０は、本実施例にかかるカード返却時処理手順を示すフローチャートである。
【発明を実施するための形態】
【００２４】
以下に添付図面を参照して、本発明にかかる各台計数システムの好適な実施例を詳細に説明する。なお、以下では、本発明にかかる各台計数システムの概要について図１を用いて説明した後に、本発明にかかる各台計数システムについての実施例を図２〜図１０を用いて説明することとする。
【００２５】
今回の本発明にかかる各台計数システムは、複数枚発行されたカードに関連があるか否かを判定して、関連があると判定した場合に、複数枚のカードを所持する遊技者が残額の精算または景品交換する際に、その旨を報知する。
【００２６】
そして、各台計数システムでは、関連のカードがあると報知することによって、どちらか一方のカードの精算または景品交換の処理忘れによる、遊技者にとって不利益が生じることのないようなサービスを提供できる点に主たる特徴がある。
【００２７】
図１は、本発明にかかる各台計数システムの概要を示す図である。同図に示すように、パチンコ店には、各台対応装置と、各台対応装置で発行されるカードの残額や持玉の残数をカード情報として管理している管理装置とが接続されており、各台対応装置には、パチンコ機が併設されているものとする。
【００２８】
ここで、遊技者が挿入した紙幣等の残額を用いて遊技をしていた際に、大当たり等の特賞状態になった際に、紙幣の残額が３０００円で、持玉の残数（以下、「持玉数」と記載する）が５００個であったとする。
【００２９】
この場合、遊技者は、紙幣の残額による払出しをする必要がなくなるために、カード返却を行い（同図の（１）参照）、紙幣の残額（３０００円）と持玉数（５００個）が関連付けられたカード（カードＩＤ：１０１）を所持する。
【００３０】
その際、各台対応装置は、通信接続される管理装置に、カードのカードＩＤ：１０１、紙幣の残額：３０００円、持玉数：５００個を送信する。一方、管理装置では、受信したカードＩＤに対応付けて残額および持玉数を、カード情報として記憶する（同図の（２）参照）。
【００３１】
その後、カード（カードＩＤ：１０１）を返却してから遊技終了時までに、遊技者は持玉による遊技を行い、紙幣の挿入または他のカード（たとえば、カードＩＤ：９９９）の挿入をしないで、遊技を行ったものとする（同図の（３）参照）。
【００３２】
そして、遊技終了時、持玉数が４０００個であったとして、再びカード返却を行った場合（同図の（４）参照）、各台対応装置は、持玉数（４０００個）が関連付けられたカード（カードＩＤ：２０１）が発行することになる。
【００３３】
その際、各台対応装置は、カード（カードＩＤ：１０１）を返却してから、カード（カードＩＤ：２０１）を返却する間、紙幣または他のカードの挿入がないことから、双方のカードを所持するのは、同一遊技者である可能性ありと判定する（同図の（５）参照）。
【００３４】
そして、管理装置では、カードＩＤ：２０１に対応付けて、持玉数４０００個をカード情報として記憶する際、関連カードＩＤ項目にカードＩＤ：１０１を記憶するとともに、カードＩＤ：１０１に対応付けて関連カードＩＤ：２０１を記憶し、互いにカード（カードＩＤ：１０１、２０１）の関連付けを行う（同図の（６）参照）。
【００３５】
このようにカード（カードＩＤ：１０１）のカード情報と、カード（カードＩＤ：２０１）のカード情報とを互いに関連付けて記憶することにより、遊技者がカード（カードＩＤ：２０１）を持って、持玉数によって景品交換する際、関連付けられたカード（カードＩＤ：１０１）がある旨を報知する。また、遊技者がカード（カードＩＤ：１０１）を持って、持玉数によって景品交換する際、関連付けられたカード（カードＩＤ：２０１）がある旨を報知する。
【００３６】
したがって、各台計数システムでは、複数枚のカードの精算や景品交換を促すことができ、遊技者に不利益が生じないようにすることができる。以下では、本発明にかかる各台計数システムについての実施例を詳細に説明する。
【実施例】
【００３７】
以下に添付図面を参照して、本発明にかかる各台計数システムについての実施例を詳細に説明する。まず、本実施例にかかる各台計数システムの構成について図２を用いて説明する。図２は、本実施例にかかる各台計数システムの構成を示すブロック図である。
【００３８】
ここで、各台計数機能付き貸出処理装置１０（以下、単に「貸出処理装置１０」と記載する）の概要構成を説明するために、図３を用いて貸出処理装置１０の外観について説明しておく。図３は、貸出処理装置１０の外観図である。なお、同図には、貸出処理装置１０が併設されたパチンコ機４０を破線で示している。
【００３９】
図３に示すように、貸出処理装置１０は、貸出処理装置１０の状態（正常、エラー）等を表示する状態表示部８１と、パチンコ玉の貸出のための各種紙幣を受け付ける紙幣挿入部８２とを備えている。
【００４０】
また、貸出処理装置１０は、紙幣挿入部８２へ挿入された各種紙幣の残額またはカード挿入部８６に挿入されたカードに記憶された残額(以下、「プリペイド価値」と記載する)を用いてパチンコ玉の貸出を指示する貸出ボタンや持玉の払出指示を行う払出ボタンや遊技終了時にカードの返却指示を行うカード返却ボタン等で構成される操作部１４と、挿入した各種紙幣の残額や持玉数の表示を行う表示部８４を備えている。
【００４１】
さらに、貸出処理装置１０は、パチンコ玉を払出す際に、パチンコ玉を払出すノズルを備えた持玉払出部８５と、紙幣の残額や持玉数が価値付けられている会員カードやビジターカード等を受け付けるカード挿入部８６と、持玉を計数する持玉計数部１３と、持玉を貯留する玉貯留部８７とを備えている。
【００４２】
たとえば、パチンコ機４０が特賞状態の際などに、貸出処理装置１０は、同図に示すパチンコ機４０の下皿８８から持玉を玉貯留部８７へ誘導し、持玉計数部１３で持玉の数量を計数する。なお、計数後のパチンコ玉は、図示しないパチンコ玉回収経路へ排出される。
【００４３】
また、操作部１４の貸出ボタンが押下されたら、プリペイド価値を用いて貸出を行う場合は、パチンコ玉をパチンコ機４０内の図示しない玉投出部から投出する。一方、操作部１４の払出ボタンが押下され、持玉の払出を行う場合には、ノズルを備えた持玉払出部８５経由でパチンコ玉を投出する。なお、持玉の払出する際、プリペイド価値を用いての貸出と同様にパチンコ機４０からパチンコ玉を投出するようにしてもよい。
【００４４】
そして、遊技終了時に、遊技者によってカードの返却指示を行うカード返却ボタンが押下されたら、貸出処理装置１０は、紙幣の残額や持玉数をカードに関連付けた後、カード挿入部８６へカードを返却する。
【００４５】
図２の説明に戻り、貸出処理装置１０の構成について説明する。同図に示すように、各台計数システムは、貸出処理装置１０と管理装置２０および景品管理装置３０とで構成される。また、図２では、貸出処理装置１０、管理装置２０および景品管理装置３０の特徴点を説明するために必要な構成要素のみを抜粋して示している。
【００４６】
まず、貸出処理装置１０は、各パチンコ機４０に併設されており、通信Ｉ／Ｆ（インターフェース）１１と、カード書込部１２と、持玉計数部１３と、操作部１４と、記憶部１５と、制御部１６とを備えている。また、制御部１６は、関連判定部１６ａと、カード情報送信部１６ｂとをさらに備えており、記憶部１５は、前カード情報１５ａを記憶する。
【００４７】
通信Ｉ／Ｆ１１は、ＬＡＮカード等の通信デバイスで構成され、ＬＡＮ等のネットワーク経由で、管理装置２０との間のデータ送受信を行う。たとえば、カードＩＤと持玉計数部１３で計数した持玉数とを、管理装置２０に送信する。
【００４８】
カード書込部１２は、遊技者によってカードの返却指示を行うカード返却ボタンが押下されたら、紙幣の残額や持玉数をカードに関連付けた後、カード挿入部８６へカードを返却する処理を行う処理部である。
【００４９】
持玉計数部１３は、パチンコ機４０によって遊技者が獲得した持玉を各台計数方式で計数する。操作部１４は、プリペイド価値を用いてパチンコ玉の貸出を指示する貸出ボタン、持玉の払出指示を行う払出ボタン、および、遊技終了時にカードの返却指示を行うカード返却ボタン等で構成される。また、パチンコ機４０の上皿に配置される貸出ボタンとカード返却ボタンが操作された場合にも、同様の指示が制御部１６に送られる。
【００５０】
記憶部１５は、不揮発性メモリやハードディスクドライブといった記憶デバイスで構成される記憶部であり、前回カードの返却指示を受けた際に返却したカード（以下、「前カード」と記載する）と、今回カードの返却指示を受けた際に返却するカード（以下、「現カード」と記載する）との関連を判定するために、前回のカードＩＤ等を前カード情報１５ａとして記憶する。
【００５１】
関連判定部１６ａは、前カードを返却してから、現カードを返却する間に、紙幣または他のカードの挿入がない場合には、双方のカードを関連ありと判定する処理を行う処理部である。
【００５２】
また、関連判定部１６ａは、前カードを返却してから、現カードを返却する間に、紙幣または他のカードの挿入があった場合には、双方のカードを関連なしと判定する処理を行う処理部である。
【００５３】
カード情報送信部１６ｂは、操作部１４の、カードの返却指示を行うカード返却ボタンが押下されたら、関連判定部１６ａで判定した結果とともに、カードＩＤ、紙幣の残額および持玉数を、管理装置２０に送信する処理を行う処理部である。
【００５４】
なお、本実施例では、パチンコ玉の払出を行う際に、各種紙幣を受付けて、紙幣の残額によって払出を行うように記載しているが、硬貨を受付けて、硬貨の残額によって払出を行うようにしてもよい。
【００５５】
つぎに、管理装置２０は、通信Ｉ／Ｆ２１と、記憶部２２と、制御部２３とを備えている。また、制御部２３は、カード情報登録部２３ａと、カード情報取得部２３ｂとをさらに備えており、記憶部２２は、カード情報２２ａを記憶する。
【００５６】
通信Ｉ／Ｆ２１は、ＬＡＮカード等の通信デバイスで構成され、ＬＡＮ等のネットワーク経由で、貸出処理装置１０や景品管理装置３０との間のデータ送受信を行う。たとえば、貸出処理装置１０からのカードＩＤに関連付けられた持玉数に関する情報を受信する。
【００５７】
記憶部２２は、不揮発性メモリやハードディスクドライブといった記憶デバイスで構成される記憶部であり、カード返却時に返却するカードのカードＩＤに関連付けて、紙幣の残額、持玉数および関連判定部１６ａで判定した判定結果をカード情報２２ａとして記憶する。
【００５８】
カード情報登録部２３ａは、貸出処理装置１０からカードＩＤとともに受信した紙幣の残額、持玉数および関連判定部１６ａで判定した判定結果をカードＩＤに関連付けて、カード情報２２ａに登録する処理を行う処理部である。
【００５９】
カード情報取得部２３ｂは、景品管理装置３０からカード情報取得指示を受けた際に受信したカードＩＤに対応するカード情報２２ａを記憶部２２から取得し、景品管理装置３０に受け渡す処理を行う処理部である。
【００６０】
つづいて、景品管理装置３０は、通信Ｉ／Ｆ３１と、カード読込部３２と、表示部３３と、制御部３４とを備えている。また、制御部３４は、カード情報取得部３４ａと、結果報知部３４ｂとをさらに備えている。
【００６１】
通信Ｉ／Ｆ３１は、ＬＡＮカード等の通信デバイスで構成され、ＬＡＮ等のネットワーク経由で、管理装置２０との間のデータ送受信を行う。たとえば、カード読込部３２で読込んだカードＩＤに対応するカード情報２２ａを、管理装置２０から受信する。
【００６２】
カード読込部３２は、遊技者が景品交換するために挿入したカードのカードＩＤを読込んでカード情報取得部３４ａへ受け渡す処理を行う処理部である。表示部３３は、液晶ディスプレイ等の表示デバイスにより構成しており、カードの関連情報や景品交換をするために、読込んだカードに関連付けられた持玉数等を表示する。
【００６３】
カード情報取得部３４ａは、カード読込部３２で読込んだカードＩＤとともに、管理装置２０にカード情報取得指示を送信して、カードＩＤに対応するカード情報２２ａを取得する処理を行う処理部である。
【００６４】
結果報知部３４ｂは、カード情報取得部３４ａが取得したカード情報２２ａのカード関連判定結果を遊技者に報知するため、判定結果を表示部３３に受け渡す処理を行う処理部である。
【００６５】
つづいて、本実施例にかかる遊技店の店内システムのシステム構成について図４を用いて説明する。図４は、本実施例にかかる店内システムのシステム構成図である。
【００６６】
同図に示すように、遊技店に設置された管理装置２０には、ＬＡＮ（Local  Area  Network）等のネットワーク経由で、島コントローラ５０と、精算機６０と、景品管理装置３０と、会員カード端末機７０とが接続されている。
【００６７】
また、島コントローラ５０には、貸出処理装置１０と、パチンコ機４０とが接続されている。なお、同図には、１台の島コントローラ５０のみを示しているが、管理装置２０には所定数の島コントローラ５０が接続されるものとする。
【００６８】
貸出処理装置１０は、島コントローラ５０と各パチンコ機４０との間に介在し、ひとつの島コントローラ５０に対して、所定数の貸出処理装置１０が接続されるものとする。管理装置２０は、カード情報２２ａを管理装置２０が備えるデータベースに記憶して、カード毎に紙幣の残数および持玉数等を管理している。
【００６９】
島コントローラ５０は、周囲を通路に囲まれたスペース（遊技島）に設けられた一群のパチンコ機４０および貸出処理装置１０を束ねる中継装置である。パチンコ機４０は、パチンコ玉を遊技領域に発射して遊技者がパチンコ遊技を行う装置であり、本実施例では、カード対応のパチンコ機４０であるものとしている。
【００７０】
精算機６０は、カードの残額が残っているカードが挿入されたら、残額に相当する現金の払出を行い、カードの精算を行う。景品管理装置３０は、遊技店内の景品交換カウンタに併設された景品交換用の端末装置であり、図示しない交換玉数管理情報を用いて獲得玉と景品との交換を管理する。この交換玉数管理情報は、景品毎にその景品との交換に要する交換玉数を対応付けて記憶している。
【００７１】
また、遊技者は、景品交換カウンタへカードを持参し、景品管理装置３０にビジターカードを挿入したり、景品管理装置３０に併設された会員カード端末機７０にカードをかざしたりすることで、カード情報２２ａに記憶されている持玉数に応じた景品を受け取ることができる。
【００７２】
その際、景品交換カウンタ内の従業員が、遊技者により指定された景品に対応する交換ボタンを押下し、景品管理装置３０は、当該景品に相当する交換玉数を獲得玉から減算する交換制御を実行させ、その後に従業員による手作業で遊技者に受け渡す。
【００７３】
また、景品管理装置３０は、遊技者が景品交換カウンタへ持参したカードに関連付けられたカードがある場合には、ディスプレイ等にその旨を報知して、複数枚のカードの精算や景品交換を促す。
【００７４】
このように、遊技店には、会員をはじめ遊技者に対してサービスを提供するシステムとして、会員カードを取り扱う店内機器（例えば、貸出処理装置１０や景品管理装置３０等）とこれらの店内機器を管理する図示しない会員管理装置とを含んで構成される会員管理システム、そして、カードを取り扱う店内機器（例えば、貸出処理装置１０や精算機６０等）を含んで構成されるカードシステム、さらには、遊技台の台データを取り扱う店内機器（例えば、貸出処理装置１０やパチンコ機４０等）を含んで構成されるシステムが併存している。
【００７５】
つぎに、管理装置２０に備えるカード情報２２ａの一例について図５を用いて説明する。図５は、カード情報２２ａの一例を示す図である。同図に示すように、カード情報２２ａは、「カードＩＤ」項目と、カードＩＤに関連付けて「残額」項目、「持玉数」項目、および、「関連カードＩＤ」項目を含んでいる。
【００７６】
「残額」項目は、貸出処理装置１０で、「カードＩＤ」に対応付けられているカードを返却する際に残っている紙幣の残額であり、「持玉数」項目は、貸出処理装置１０で、カードを返却する際に残っている持玉数である。「関連カードＩＤ」項目は、「カードＩＤ」に対応付けられているカードと関連があると判定されたカードのカードＩＤである。
【００７７】
たとえば、貸出処理装置１０で、カード返却ボタンが押下されて、カード（カードＩＤ：２０１）を返却する際に、残額はなく、持玉数が４０００個で、さらに、前回返却したカード（カードＩＤ：１０１）と関連があると判定した場合について説明する。
【００７８】
この場合、関連カードＩＤには、「１０１」とし、カード情報２２ａには「カードＩＤ：２０１、残額：０円、持玉数：４０００個、関連カードＩＤ：１０１」と記憶される（同図の２行目参照）。
【００７９】
これとともに、カード（カードＩＤ：１０１）のカード情報２２ａの関連カードＩＤには、「２０１」と記憶することで、互いのカード（カードＩＤ：１０１、２０１）に関連付けを行う。
【００８０】
これは、貸出処理装置１０で、カード（カードＩＤ：２０１）を有する遊技者とカード（カードＩＤ：１０１）を有する遊技者とが、同一遊技者である可能性があると判定したことを示す。
【００８１】
また、貸出処理装置１０で、カード（カードＩＤ：２０１）を返却した後に、紙幣が挿入されて、紙幣の残額によって遊技者が遊技を行い、残額が４０００円残った状態で（持玉は０個）、カード返却ボタンが押下されて新たなカード（カードＩＤ：３０１）が返却された場合について説明する。
【００８２】
この場合、貸出処理装置１０では、紙幣または他のカードが挿入されたことにより、前カード（カードＩＤ：２０１）を有する遊技者とカード返却ボタンを押下した遊技者とは別の遊技者であると判定する。
【００８３】
そして、カード情報２２ａには「カードＩＤ：３０１、残額：４０００円、持玉数：０個、関連カードＩＤ：−（なし）」と記憶される（同図の３行目参照）。このように、管理装置２０では、カードＩＤに関連付けて、紙幣の残額、持玉数および関連付けを行うカードＩＤをカード情報２２ａとして記憶管理する。
【００８４】
つぎに、カード返却時に、前カードと現カードとに関連がないと判定する場合について、図６を用いて説明する。図６は、カード返却処理の流れの一例を示す図である。同図に示すように、図１で説明した時と同様に、パチンコ店には、貸出処理装置１０と、管理装置２０とが接続されており、貸出処理装置１０には、パチンコ機４０が併設されているものとする。
【００８５】
ここで、パチンコ機４０で遊技をしていた遊技者によって、カード返却ボタンが押下されたら、貸出処理装置１０は、カード（カードＩＤ：２０１）を返却する（同図の（１）参照）。その後、別の遊技者がパチンコ機４０で遊技する際、紙幣を挿入する（同図の（２）参照）。
【００８６】
そして、紙幣の残額によって遊技者が遊技を行い、残額が４０００円残っていて、カード返却ボタンが押下された場合、貸出処理装置１０では、前カード（カードＩＤ：２０１）と現カード（カードＩＤ：３０１）とは、関連がないと判定する。
【００８７】
そして、貸出処理装置１０は、現カード（カードＩＤ：３０１）を返却し（同図の（３）参照）、カード情報２２ａには、カードＩＤ：３０１に対応する関連カードＩＤはなし（ここでは「−」）と記憶される(同図の(４)参照)。
【００８８】
つぎに、景品交換をする際に景品管理装置３０で行う一連の処理について、図７および図８を用いて説明する。図７は、関連情報の報知処理の一連の流れを示す図である。同図に示すように、パチンコ店の景品交換カウンタに設置された景品管理装置３０は、貸出処理装置や管理装置と接続されているものとする。
【００８９】
遊技者は、景品交換カウンタへカードを持参し、景品管理装置３０にカードを挿入し、景品交換するために挿入したカードのカードＩＤに関連付けられたカード情報２２ａに記憶されている、残額、持玉数および関連カードＩＤの情報照会を行う（同図の（１）参照）。
【００９０】
そして、景品管理装置３０では、関連カードがあった場合に、取得した関連カードＩＤに対応するカード情報２２ａに基づいて、関連カードに関する情報の報知を行い（同図の（２）参照）、遊技者が関連カードを提示したら、関連カードを挿入して読取る（同図の（３）参照）。
【００９１】
その後、景品管理装置３０は、関連カードのカードＩＤに関連付けられたカード情報２２ａを取得して、２枚のカードの持玉数を合計し、持玉数の合計値に応じた景品交換を行うこととなる（同図の（４）参照）。
【００９２】
たとえば、景品交換するためにカード（カードＩＤ：２０１）を挿入した場合、カードＩＤ：２０１のカード情報２２ａには、関連カードＩＤは１０１と記憶されている。したがって、景品管理装置３０は、関連カードの挿入を促す関連情報を報知する。具体的には、「精算・交換の済んでいないカードがあります。」等表示することとなる。
【００９３】
その後、景品管理装置３０は、遊技者によって挿入された関連カード（カードＩＤ：１０１）のカード情報２２ａを取得し、持玉数５００個と記憶されているので、カード（カードＩＤ：２０１）の持玉数（４０００個）およびカード（カードＩＤ：２０１）の持玉数（５００個）の合計値（４５００個）に応じた景品交換を行う。
【００９４】
ここで、関連カードＩＤに対応するカード情報２２ａに基づいて報知する関連情報について、図８を用いて説明する。図８は、関連情報の一例を示す図である。
【００９５】
同図表に示すように、関連カードＩＤに対応するカード情報２２ａの「残額あり／なし」および「持玉数あり／なし」の組み合わせによって、報知する関連情報も違ってくる。「残額あり」かつ「持玉数なし」の場合は、精算だけが済んでいないことを報知し、「残額なし」かつ「持玉数あり」の場合は、景品交換だけが済んでいないことを報知する。
【００９６】
また、精算や景品交換が済んでいないことを示すメッセージに加えて、当該関連カードの残額や持玉数を報知（表示）することで、遊技者が追加で提示したカードが関連カードであるか否かを、即座に判断できる。
【００９７】
このように、関連カードＩＤのカード情報２２ａに基づいて関連する情報を報知することによって、一人の遊技者に複数枚のカードが発行された場合であっても、精算と景品交換を忘れて、いずれかのカードを持ち帰ってしまうようなことを防ぐことができる。
【００９８】
つぎに、カード情報２２ａに関連付けられた関連カードの情報を解除するタイミングについて、図９を用いて説明する。図９は、関連解除タイミングを示す図である。
【００９９】
同図左に示すように、カード（カードＩＤ：１０１）と関連付けられているカード（カードＩＤ：２０１）によって、精算または景品交換の処理を行った際に（同図の（１）参照）、カードＩＤ：２０１に対応するカード情報２２ａは処理済となる。
【０１００】
その後、カード（カードＩＤ：１０１）によって、精算または景品交換の処理を行った際に（同図の（２）参照）、カードＩＤ：１０１に対応するカード情報２２ａは処理済となるとともに、カードＩＤ：２０１に対応する関連カードＩＤ：１０１は解除されることとなる（同図の（３）参照）。
【０１０１】
一方、カード（カードＩＤ：１０１）による精算または景品交換の処理が行われなかった場合、閉店後、たとえば、管理装置２０で、カード（カードＩＤ：１０１）の未処理通知を行い（同図の（２）’参照）、通知を受けた従業員が、管理装置２０の図示しない関連解除画面等より、カードＩＤ：２０１に対応する関連カードＩＤ：１０１を解除する（同図の（３）’参照）。
【０１０２】
つぎに、貸出処理装置１０が実行するカード返却時の処理手順について図１０を用いて説明する。図１０は、本実施例にかかるカード返却時処理手順を示すフローチャートである。
【０１０３】
同図に示すように、貸出処理装置１０では、操作部１４に備えるカード返却ボタンが押下されたら（ステップＳ１０１）、前カードのカードＩＤ等の前カード情報１５ａを取得する（ステップＳ１０２）。
【０１０４】
そして、関連判定部１６ａでは、前カードの返却処理を行ってから、ステップＳ１０１でカード返却ボタンが押下されるまでの間に、紙幣の挿入または他のカードの挿入があったか否かを判定する（ステップＳ１０３）。
【０１０５】
紙幣の挿入または他のカードの挿入があった場合（ステップＳ１０３：Ｙｅｓ）、関連判定部１６ａでは、前カードを保持している遊技者と、ステップＳ１０１でカード返却ボタンを押下した遊技者とが同一ではないと判定し、現カードには前カードとの関連付けを行わない（ステップＳ１０４）。
【０１０６】
一方、紙幣の挿入または他のカードの挿入がなかった場合（ステップＳ１０３：Ｎｏ）、関連判定部１６ａでは、前カードを保持している遊技者と、ステップＳ１０１でカード返却ボタンを押下した遊技者とが同一の可能性ありと判定し、現カードには前カードとの関連付けを行い（ステップＳ１０５）、ステップＳ１０６に処理を移行する。
【０１０７】
そして、貸出処理装置１０では、紙幣の残額または持玉があるか否かを判定し（ステップＳ１０６）、紙幣の残額または持玉がある場合（ステップＳ１０６：Ｙｅｓ）、紙幣の残額および持玉数を現カードのカードＩＤに関連付けてカード情報２２ａに登録する（ステップＳ１０７）。
【０１０８】
また、ステップＳ１０４またはステップＳ１０５で行った、前カードとの関連あり／なしを、現カードのカードＩＤに関連付けてカード情報２２ａに登録する（ステップＳ１０８）。
【０１０９】
その後、カード書込部１２で、紙幣の残額および持玉数を関連付けて、現カードを返却し（ステップＳ１０９）、カード返却したカードのカードＩＤ等を前カード情報１５ａとして記憶する（ステップＳ１１０）。
【０１１０】
上述してきたように、本実施例では、前カードを返却してから、現カードを返却する間、紙幣または他のカードの挿入がない場合に、双方のカードを所持するのは、同一遊技者である可能性ありと判定する。
【０１１１】
そして、カード情報２２ａに、前カードと現カードとを関連付けて記憶し、景品交換装置３０で、カード情報２２ａに記憶された関連情報を報知するようにしたので、複数枚のカードを保有する遊技者が、精算や景品交換の処理忘れを防ぐことができる。
【０１１２】
さらに、遊技店にとっても、遊技者がカードを持ち帰ったことにより、遊技店のカード補充をする必要があるため、カード補充にかかるコストの削減を図ることができる。また、複数枚のカードに持玉数が分割されて関連付けられることもあるため、関連付けられたカードの情報を遊技者が認識できることによって、「カードの持玉数が違っている」といった疑念を解消することができる。
【０１１３】
なお、本発明請求項記載の各台対応装置は貸出処理装置１０、管理装置は管理装置２０、記録媒体返却手段はカード書込部１２、記録媒体関連判定手段は関連判定部１６ａ、照会装置は景品管理装置３０や精算機６０に相当するものである。
【０１１４】
ところで、これまで本発明の実施例について説明してきたが、本発明は上記した実施例以外にも、種々の異なる形態にて実施されてよいものである。貸出処理装置１０で、前カードを返却してから、現カードを返却する間、紙幣または他のカードの挿入がない場合、関連付けを行うようにした。
【０１１５】
しかしながら、本発明はこれに限られるものではない。遊技店では、遊技者が貨幣の残額を用いて遊技をしていた際に、大当たり等の特賞状態になった場合、貨幣の残額による払出しをする必要がなくなるために、カード返却を行うという事が珍しくない。
【０１１６】
したがって、貸出処理装置１０では、特賞中に前カードが返却されたり、前カードを返却してから、所定時間内にパチンコ機４０から特賞信号を取得した場合に、前カードを保持する遊技者が、その後カード返却を行う遊技者と同一である可能性ありと判定し、関連付けを行うようにしてもよい。
【０１１７】
ここで、特賞信号とは、パチンコ機４０が大当たり等の特賞状態になっている間、パチンコ機４０が、特賞状態であるという情報を貸出処理装置１０に送信する信号のことである。
【０１１８】
また、貸出処理装置１０では、前カードを返却してから、所定時間内に遊技者によって持玉を計数する指示を取得した場合に、前カードを保持する遊技者が、その後カード返却を行う遊技者と同一である可能性ありと判定し、関連付けを行うようにしてもよい。
【０１１９】
また、上述した実施例では、現カードのカード返却時に前カードと関連付けるか否かの判定を貸出処理装置１０で行うようにしたが、管理装置２０や島コントローラ５０で判定を行うようにしてもよい。
【０１２０】
また、上述した実施例では、持玉計数部１３を貸出処理装置１０に含むように構成したが、持玉計数部１３は貸出処理装置１０と一体である必要はなく、別体であっても、計数結果と関連付けられた計数カードを排出する貸出処理装置１０であってもよい。
【０１２１】
また、上述した実施例では、残額と持玉数とを単一の管理装置２０で管理するようにしたが、別々の管理装置で管理するようにしてもよい。ただし、別々の管理装置であっても、共通のカードＩＤで関連付けられるものとする。
【０１２２】
また、上述した実施例では、景品管理装置３０で、カードに関連付けられた関連情報を、報知するよう説明した。しかし、精算機６０が、カードの残額が残っているカードが挿入されて、残額に相当する現金の払出をする際に、カード情報２２ａに記憶されるカードに関連付けられた関連情報を、報知するようにしてもよい。この場合、精算機６０で精算処理だけを行って、景品交換が未処理であるような遊技者に対しても、サービスの向上を図ることができる。
【０１２３】
また、上述した実施例では、カード返却を行うカードのカードＩＤに対応して、カード情報２２ａに関連カードＩＤ等の関連情報を記憶するようにしたが、カード返却時に、関連情報をカードに直接書き込んでもよい。
【０１２４】
この場合、管理装置２０がネットワーク障害等により、オフラインになってしまった場合であっても、カードに記憶された関連情報を読込むことによって、関連情報を報知することができ、遊技者に対して不利益が生じないようにすることができる。
【０１２５】
また、上述した実施例では、景品管理装置３０で、カードに関連付けられた関連情報を報知するようにした。しかし、精算や景品交換の際に精算機６０や景品管理装置３０が挿入されたカードのカードＩＤに基づいてカード情報２２ａを取得する際に、管理装置２０でカード情報２２ａの関連情報を報知するようにしてもよい。
【０１２６】
この場合、管理装置２０を管理している遊技店の従業員に、カードの関連情報を報知することによって、精算や景品交換を行っている遊技者に対して、従業員がその旨を知らせてあげることができ、遊技者に対してサービスの向上を図ることができる。
【０１２７】
また、上述した実施例では、貸出処理装置１０で、現カードのカード返却時に、前カードとの関連情報を現カードのカード情報２２ａに記憶するようにしたが、現カードのカード返却時に前カードとの関連付けると判定した場合に、前カードの挿入を促してもよい。そして、貸出処理装置１０に、遊技者が保有する前カードを再度挿入することにより、挿入された前カードに合算して書込むようにしてもよい。
【０１２８】
この場合、遊技者が複数枚のカードを所有することがなく、遊技者に対してサービスの向上を図ることができるとともに、遊技店では、あらかじめ用意しておくカードが少なくてよいため、カード準備にかかるコストの削減を図ることができる。
【０１２９】
また、上述した実施例では、２枚のカードが関連付けられている例で説明したが、現カードのカード返却時に、前カードとの関連情報を現カードのカード情報２２ａに記憶することを繰り返すことで、３枚以上のカードを関連付けるようにしてもよい。
【０１３０】
また、上述した実施例では、会員カードおよびビジターカード等の種別によらず、景品管理装置３０で、カードに関連付けられた関連情報を、報知するように説明した。しかし、カードの種別によって、報知するか否かの報知条件を変えることとしてもよい。
【０１３１】
たとえば、ある遊技者の保有する会員カードとビジターカードの双方に残額や持玉数があり、ビジターカードには、会員カードが関連付けられている場合について説明する。ここで、会員カードの持玉数による翌日以降の遊技は可能である。
【０１３２】
したがって、上記のような２枚のカードを保有する遊技者に対しては、ビジターカードによって景品交換を行った際には、関連付けられている会員カードについての報知をしないようにしてもよい。この場合、遊技者が会員カードによって翌日以降も遊技をすると想定されるので、稼働率もあがり、遊技店にとって不利益が生じないようにすることができる。
【０１３３】
また、上述した実施例では、パチンコ遊技に適用する例を説明したが、パチスロ遊技を対象としてさらに含めた場合又はパチスロ遊技のみを対象とした場合にも同様に適用することができる。
【産業上の利用可能性】
【０１３４】
以上のように、本発明にかかる貸出処理装置は、一人の遊技者に複数枚のカードが発行された場合に有用であり、特に、遊技者および遊技店にとって不利益が生じないようにするとともに、遊技者に対してサービスを向上したい場合に適している。
【符号の説明】
【０１３５】
１０    貸出処理装置（各台対応装置）
１１    通信Ｉ／Ｆ
１２    カード書込部
１３    持玉計数部
１４    操作部
１５    記憶部
１５ａ  前カード情報
１６    制御部
１６ａ  関連判定部
１６ｂ  カード情報送信部
２０    管理装置
２１    通信Ｉ／Ｆ
２２    記憶部
２２ａ  カード情報
２３    制御部
２３ａ  カード情報登録部
２３ｂ  カード情報取得部
３０    景品管理装置
３１    通信Ｉ／Ｆ
３２    カード読込部
３３    表示部
３４    制御部
３４ａ  カード情報取得部
３４ｂ  結果報知部
４０    パチンコ機
５０    島コントローラ
６０    精算機
７０    会員カード端末機
８１    状態表示部
８２    紙幣挿入部
８４    表示部
８５    持玉払出部
８６    カード挿入部
８７    玉貯留部
８８    下皿
【図１】
2010268994.tif 000003
【図２】
2010268994.tif 000004
【図３】
2010268994.tif 000005
【図４】
2010268994.tif 000006
【図５】
2010268994.tif 000007
【図６】
2010268994.tif 000008
【図７】
2010268994.tif 000009
【図８】
2010268994.tif 000010
【図９】
2010268994.tif 000011
【図１０】
2010268994.tif 000012